(57)【要約】  部品実装基板（１０）は、樹脂基板（２０）、電子部品（３０）、モールド樹脂（５０）を備える。樹脂基板（２０）には、ランド導体（２３０）が形成されている。電子部品（３０）は、樹脂基板（２０）の表面に実装され、実装用端子（３２）がランド導体（２３０）に接合されている。樹脂基板（２０）は、表面にランド導体（２３０）が形成された本体樹脂部（２１）と、本体樹脂部（２１）の表面に配置された本体樹脂部と同種の材質からなる表面樹脂層（２２）とを備える。表面樹脂層（２２）の表面には導体が形成されていない。表面樹脂層（２２）は、ランド導体（２３０）を樹脂基板（２０）の表面側に露出させる貫通孔（２２０）を備える。実装用端子（３２）は、貫通孔（２２０）に充填された接合材（４０）によって、ランド導体（２３０）に接合されている。
2017077837.tif 000002
【特許請求の範囲】
【請求項１】
部品実装用のランド導体を含む導体パターンが形成された樹脂基板と、
前記樹脂基板の表面に実装され、実装用端子が前記ランド導体に接合される第１の部品と、
前記樹脂基板の表面と前記第１の部品を覆うように形成され、前記樹脂基板とは異なる材質からなるモールド樹脂と、
を備え、
前記樹脂基板は、表面に前記ランド導体が形成された本体樹脂部と、前記本体樹脂部の表面に配置された前記本体樹脂部と同種の材質からなる表面樹脂層とを備え、
前記表面樹脂層の表面には導体が形成されておらず、前記表面樹脂層は、前記ランド導体を前記樹脂基板の表面側に露出させる貫通孔を備え、
前記実装用端子は、前記貫通孔に充填された接合材によって、前記ランド導体に接合されている、
部品実装基板。
【請求項２】
前記表面樹脂層および前記本体樹脂部は、液晶ポリマを含み、
前記モールド樹脂は、シリコーン樹脂を含む、
請求項１に記載の部品実装基板。
【請求項３】
前記樹脂基板のヤング率は、前記モールド樹脂のヤング率よりも高い、
請求項１または請求項２に記載の部品実装基板。
【請求項４】
前記本体樹脂部に内蔵された第２の部品を備える、
請求項１または請求項２に記載の部品実装基板。
【請求項５】
前記モールド樹脂は、前記表面樹脂層および前記本体樹脂部よりもヤング率の小さい材料からなり、
前記第２の部品を含む前記樹脂基板の体積に対する前記第２の部品の体積の比率は、前記モールド樹脂と前記第１の部品とからなる体積に対する前記第１の部品の体積の比率よりも小さい、
請求項４に記載の部品実装基板。
【発明の詳細な説明】
【技術分野】
【０００１】
本発明は、導体パターンが形成された樹脂基板と、この樹脂基板の表面に実装された部品とを備える部品実装基板に関する。
【背景技術】
【０００２】
従来、各種の電子機器には、部品実装基板が多く採用されている。例えば、特許文献１に記載の部品実装基板は、樹脂基板と電子部品とを備える。電子部品は、樹脂基板の表面に実装されている。【０００３】
特許文献１に記載の部品実装基板の樹脂基板の表面には、この表面および電子部品の全体を覆う封止樹脂層が形成されている。
【先行技術文献】
【特許文献】
【０００４】
【特許文献１】国際公開第２０１４／０９７８３５号パンフレット
【発明の概要】
【発明が解決しようとする課題】
【０００５】
特許文献１に記載の部品実装基板のように樹脂基板と異なる種類の材料からなる封止樹脂層を樹脂基板の表面に形成する場合、これらの界面に高い接合強度を有する化学結合層を形成している。【０００６】
しかしながら、化学結合層が形成されることによって、樹脂基板の表面に露出した導体パターンは酸化等によって導電率が低下することがある。【０００７】
一方、一般的な絶縁性レジスト膜を樹脂基板の表面に形成し、その表面に封止樹脂層を形成すると、接合強度が弱くなり、高い信頼性を維持しにくくなる。【０００８】
したがって、本発明の目的は、封止樹脂層と樹脂基板とが異なる材料であっても、これらの間の接合強度を高く維持し、且つ電気特性の低下をより確実に抑制することができる部品実装基板を提供することにある。
【課題を解決するための手段】
【０００９】
この発明の部品実装基板は、樹脂基板、第１の部品、および、モールド樹脂を備える。樹脂基板には、部品実装用のランド導体を含む導体パターンが形成されている。第１の部品は、樹脂基板の表面に実装され、実装用端子がランド導体に接合されている。モールド樹脂は、樹脂基板の表面と第１の部品を覆うように形成され、樹脂層基板とは異なる材質からなる。さらに、樹脂基板は、表面にランド導体が形成された本体樹脂部と、本体樹脂部の表面に配置された本体樹脂層と同種の材質からなる表面樹脂層とを備える。表面樹脂層の表面には導体が形成されていない。表面樹脂層は、ランド導体を樹脂基板の表面側に露出させる貫通孔を備える。実装用端子は、貫通孔に充填された接合材によって、ランド導体に接合されている。【００１０】
この構成では、樹脂基板の本体樹脂部に形成された導体パターンがモールド樹脂に接触しない。また、ランド導体の表面は接合材および第１の部品の実装用端子で覆われており、モールド樹脂に接触しない。これにより、樹脂基板に形成された導体パターンがモールド樹脂によって酸化することは抑制される。【００１１】
また、この発明の部品実装基板では、表面樹脂層および本体樹脂部は、液晶ポリマを含み、モールド樹脂は、シリコーン樹脂を含むことが好ましい。【００１２】
この構成では、樹脂基板における電気特性が向上し、且つ、樹脂基板とモールド樹脂との接合強度が高くなる。【００１３】
また、この発明の部品実装基板では、本体樹脂部に内蔵された第２の部品を備えていてもよい。【００１４】
この構成では、上述の信頼性を得ながら、部品実装基板で実現可能な電子回路がさらに多機能になる。【００１５】
また、樹脂基板のヤング率は、モールド樹脂のヤング率よりも高いことが好ましい。【００１６】
この構成では、外部衝撃から第１の部品を守ることができるようになることに加え、一般的にセラミックやシリコンなど高いヤング率の材料で構成される第１の部品と樹脂基板のヤング率の差を小さくでき、第１の部品が樹脂基板から脱落しにくくできるようになる。【００１７】
また、この発明の部品実装基板は、次の構成であってもよい。モールド樹脂は、表面樹脂部および本体樹脂層よりもヤング率の小さい材料からなる。第２の部品を含む前記樹脂基板の体積に対する第２の部品の体積の比率は、モールド樹脂と第１の部品とからなる体積に対する第１の部品の体積の比率よりも小さい。【００１８】
この構成では、樹脂基板内に配線パターンを引き回すスペースを十分確保できる利点に加え、第２の部品（内蔵部品）に起因した樹脂基板の内部応力を小さくできる。一方、第１の部品（表面実装部品）は、モールド樹脂内で内部応力が発生しても、ヤング率の小さい材料からなるモールド樹脂は相対的に変形しやすいため、クラック等が起こりにくくなる。したがって、部品を実装および内蔵した部品実装基板である場合でもクラック等の不具合を抑制できる部品実装基板を得ることができる。
【発明の効果】
【００１９】
この発明によれば、封止樹脂層と樹脂基板とが異なる材料であっても、これらの間の接合強度を高く維持し、且つ電気的特性の低下をより確実に抑制することができる。
【図面の簡単な説明】
【００２０】
【図１】本発明の第１の実施形態に係る部品実装基板の構成を示す側面断面図である。
【図２】本発明の第１の実施形態に係る樹脂基板の構成を示す側面断面図である。
【図３】本発明の第１の実施形態に係る樹脂基板の構成を示す各層を分解した状態での側面断面図である。
【図４】本発明の第２の実施形態に係る部品実装基板の構成を示す側面断面図である。
【図５】本発明の第３の実施形態に係る部品実装基板の構成を示す側面断面図である。
【発明を実施するための形態】
【００２１】
本発明の第１の実施形態に係る部品実装基板について、図を参照して説明する。図１は、本発明の第１の実施形態に係る部品実装基板の構成を示す側面断面図である。図２は、本発明の第１の実施形態に係る樹脂基板の構成を示す側面断面図である。図３は、本発明の第１の実施形態に係る樹脂基板の構成を示す各層を分解した状態での側面断面図である。
【００２２】
図１に示すように、部品実装基板１０は、樹脂基板２０、電子部品３０、および、モールド樹脂５０を備える。
【００２３】
樹脂基板２０は、図１、図２、図３に示すように、本体樹脂部２１と表面樹脂層２２とを備える。本体樹脂部２１は、複数の樹脂層２１１，２１２，２１３，２１４，２１５を備える。複数の樹脂層２１１，２１２，２１３，２１４，２１５は、表面側からこの順で積層して配置されている。
【００２４】
複数の樹脂層２１１，２１２，２１３，２１４，２１５と表面樹脂層２２は、同種の樹脂材料からなる。例えば、複数の樹脂層２１１，２１２，２１３，２１４，２１５と表面樹脂層２２は、液晶ポリマを主成分としている。液晶ポリマを主成分とすることによって、高周波特性等の電気特性が向上する。
【００２５】
複数の樹脂層２１１，２１２，２１３，２１４，２１５からなる本体樹脂部２１と表面樹脂層２２は、一体形成されている。表面樹脂層２２は、樹脂層２１１における樹脂層２１２と反対側の面に配置されている。言い換えれば、表面樹脂層２２は、本体樹脂部２１の表面に配置されている。
【００２６】
本体樹脂部２１の表面には、ランド導体２３０が形成されている。ランド導体２３０は電子部品３０を表面実装するための導体であるが、本体樹脂部２１の他の回路要素への引き回しのための配線導体も含むものである。本体樹脂部２１の裏面には、複数の外部接続用端子導体２５が形成されている。本体樹脂部２１の内部には、複数の回路導体２３および層間接続導体２４０が形成されている。回路導体２３および層間接続導体２４０は、樹脂基板２０で形成する回路構成に準じて形成されている。これら、ランド導体２３０、回路導体２３、層間接続導体２４０、および、外部接続用端子導体２５が、本発明の「樹脂基板に形成された導体パターン」に対応する。
【００２７】
表面樹脂層２２には、表面樹脂層２２の表面から裏面に貫通する貫通孔２２０が形成されている。貫通孔２２０は、表面樹脂層２２を本体樹脂部２１の表面に配置した状態でランド導体２３０の一部に重なる位置に形成されている。この構成により、本体樹脂部２１の表面に表面樹脂層２２が配置された樹脂基板２０の表面には、貫通孔２２０を介して、ランド導体２３０の一部が露出している。言い換えれば、樹脂基板２０の表面には、ランド導体２３０以外の導体パターンは露出していない。
【００２８】
電子部品３０は、本体３１および実装用端子３２を備える。実装用端子３２は、導体からなり、本体３１に形成された電子回路に接続されている。実装用端子３２は、本体３１の裏面に形成されている。
【００２９】
電子部品３０は、実装用端子３２が樹脂基板２０側となるように、樹脂基板２０の表面に配置されている。この際、実装用端子３２は、貫通孔２２０を介してランド導体２３０と対向している。この状態において、実装用端子３２は、貫通孔２２０に充填された導電性の接合材４０によって、ランド導体２３０に接合されている。接合材４０は、はんだや導電性接着剤等である。
【００３０】
モールド樹脂５０は、絶縁性を有する。モールド樹脂５０は、樹脂基板２０を形成する樹脂、すなわち樹脂層２１１，２１２，２１３，２１４，２１５、表面樹脂層２２を形成する樹脂と異なる材料からなる。モールド樹脂５０の樹脂は、樹脂基板２０を形成する樹脂に対して高い接合強度が得られる材料からなる。具体的に、樹脂基板２０を形成する樹脂が上述の液晶ポリマを主成分とするものである場合、モールド樹脂５０は、シリコーンを主成分としている。モールド樹脂５０は、さらに絶縁性のフィラー等を含んでいてもよい。
【００３１】
モールド樹脂５０は、電子部品３０が実装された樹脂基板２０の表面を覆うように形成されている。この際、モールド樹脂５０は、電子部品３０も覆うように形成されている。この構成により、電子部品３０が実装された樹脂基板２０の表面側を、外部環境に対して保護し、部品実装基板１０の信頼性を向上することができる。
【００３２】
また、本実施形態では、ランド導体２３０以外の導体パターンが樹脂基板２０の表面に露出しておらず、ランド導体２３０は、接合材４０および電子部品３０の実装用端子３２によって覆われているので、モールド樹脂５０は、樹脂基板２０の導体パターンには接触していない。これにより、モールド樹脂５０が導体パターンに接触することによる導体パターンの導電率の低下が抑制される。したがって、部品実装基板１０の電気特性の低下が抑制される。
【００３３】
このように、本実施形態の構成を用いることによって、信頼性および電気特性に優れた部品実装基板１０を実現することができる。
【００３４】
また、本実施形態の構成では、表面樹脂層２２に形成された貫通孔２２０によって、樹脂基板２０の表面に凹みができ、この凹みに接合材４０が形成されている。これにより、接合材４０の不要な流れを抑制でき、この接合材４０の流れによるリーク等の不具合の発生を抑制することができる。これにより、さらに信頼性の高い部品実装基板１０を実現することができる。
【００３５】
また、樹脂基板２０のヤング率は、モールド樹脂５０のヤング率よりも高いことが好ましい。この構成により、外部衝撃から電子部品３０を守ることができるようになることに加え、一般的にセラミックやシリコンなど高いヤング率の材料で構成される電子部品３０と樹脂基板２０のヤング率の差を小さくでき、電子部品３０が樹脂基板２０から脱落しにくくできるようになる。
【００３６】
このような構成からなる部品実装基板１０は、次に示す工程によって製造されている。
【００３７】
まず、複数の樹脂層２１１，２１２，２１３，２１４，２１５に導体パターンを形成する。具体的には、片面銅貼りされた樹脂層にパターニング、エッチング処理を施すことによって、回路導体２３、ランド導体２３０、および、外部接続用端子導体２５を形成する。また、所定の樹脂層の片面銅貼りされた面とは反対側の面からレーザ等により貫通孔を設け、層間接続導体２４０の元となる導電ペーストを充填する。また、表面樹脂層２２に貫通孔２２０を形成する。
【００３８】
表面樹脂層２２、および、複数の樹脂層２１１，２１２，２１３，２１４，２１５を積層して、加熱圧着する。この加熱圧着により導電ペーストが固化して層間接続導体２４０が形成される。これにより、表面樹脂層２２の貫通孔２２０によって、表面に凹みを有する樹脂基板２０が形成される。この際、樹脂基板２０の表面側には、貫通孔２２０を介したランド導体２３０の一部以外には、導体が露出していない。
【００３９】
樹脂基板２０の貫通孔２２０にはんだペーストを充填する。樹脂基板２０の表面に、電子部品３０を実装する。この際、電子部品３０の実装用端子３２が貫通孔２２０に対向するように、電子部品３０を実装する。電子部品３０が実装された樹脂基板２０を熱処理して、はんだを固化し、電子部品３０の実装用端子３２と、樹脂基板２０のランド導体２３０を接合する。
【００４０】
電子部品３０が接合された樹脂基板２０の表面に、モールド樹脂５０を充填する。この状態で熱処理を行い、モールド樹脂５０を固化する。このような工程を経て、部品実装基板１０が形成されている。
【００４１】
次に、本発明の第２の実施形態に係る部品実装基板について、図を参照して説明する。図４は、本発明の第２の実施形態に係る部品実装基板の構成を示す側面断面図である。
【００４２】
本実施形態に係る部品実装基板１０Ａは、第１の実施形態に係る部品実装基板１０に対して、電子部品３０Ａにおいて異なる。部品実装基板１０Ａの他の基本構成は、電子部品３０Ａの形状に応じて樹脂基板２０の配線パターンを変更する以外には、第１の実施形態に係る部品実装基板１０と同じである。
【００４３】
電子部品３０Ａは、本体３１Ａおよび実装用端子３２Ａを備える。実装用端子３２Ａは、本体３１Ａの対向する両端に形成されている。実装用端子３２Ａの一面は、接合材４０を介してランド導体２３０に接合している。この構成においても、ランド導体２３０は、接合材４０および実装用端子３２Ａによって覆われており、樹脂基板２０の表面には導体が露出していない。
【００４４】
したがって、本実施形態に係る部品実装基板１０Ａは、第１の実施形態に係る部品実装基板１０と同様の作用効果を得ることができる。
【００４５】
また、本実施形態の部品実装基板１０Ａは、電子部品３０Ａの本体３１Ａが樹脂基板２０の表面に当接している。これにより、上述のはんだの流れをさらに抑制でき、さらに信頼性を向上することができる。なお、このように、電子部品３０Ａの本体３１Ａと樹脂基板２０の表面を当接させるために、この部分の樹脂基板２０の表面を高くする、他の絶縁性部材を介在させる等の構成を用いてもよい。さらには、この電子部品３０Ａの本体３１Ａと樹脂基板２０を当接させる構成は、第１の実施形態に記載の部品実装基板１０の電子部品３０と本体３１とに適応することもできる。
【００４６】
次に、本発明の第３の実施形態に係る部品実装基板について、図を参照して説明する。図５は、本発明の第３の実施形態に係る部品実装基板の構成を示す側面断面図である。
【００４７】
本実施形態に係る部品実装基板１０Ｂは、電子部品３０Ｂ１，３０Ｂ２，３０Ｂ３を実装し、樹脂基板２０Ｂ内に電子部品６０を内蔵した点において、第１、第２の実施形態に係る部品実装基板１０，１０Ａと異なる。本実施形態に係る部品実装基板１０Ｂの他の基本的な構成は、第１、第２の実施形態に係る部品実装基板１０，１０Ａと同じである。
【００４８】
電子部品３０Ｂ１，３０Ｂ３は、第１の実施形態に係る電子部品３０と同じ構造である。電子部品３０Ｂ２は、第２の実施形態に係る電子部品３０Ａと同じ構造である。電子部品３０Ｂ１，３０Ｂ３の実装用端子３２、および、電子部品３０Ｂ２の実装用端子３２Ａは、それぞれ、貫通孔２２０に設けられた接合材４０を介して、樹脂基板２０Ｂのランド導体２３０に接合されている。
【００４９】
電子部品６０は、本体６１と実装用端子６２を備える。実装用端子６２は、本体６１の裏面に形成されている。電子部品６０は、樹脂基板２０Ｂにおける本体樹脂部２１Ｂに内蔵されている。実装用端子６２は、層間接続導体２４を介して回路導体２３に接続されている。
【００５０】
樹脂基板２０Ｂの表面には、当該表面の全体および電子部品３０Ｂ１，３０Ｂ２，３０Ｂ３を覆うように、モールド樹脂５０Ｂが形成されている。
【００５１】
モールド樹脂５０Ｂは、第１の実施形態に係るモールド樹脂５０と同種の材料からなる。モールド樹脂５０Ｂは、樹脂基板２０Ｂを形成する樹脂よりもヤング率が小さい材料からなる。
【００５２】
図５に示すように、部品実装基板１０Ｂでは、モールド樹脂５０Ｂと電子部品３０Ｂ１，３０Ｂ２，３０Ｂ３を合わせた体積に対する電子部品３０Ｂ１，３０Ｂ２，３０Ｂ３の体積比率は、樹脂基板２０Ｂに対する電子部品３０の体積比率よりも小さい。言い換えれば、モールド樹脂側領域ＲＥ２における電子部品の占める体積比率は、樹脂基板側領域ＲＥ１における電子部品の占める体積比率よりも小さい。
【００５３】
電子部品３０Ｂ１，３０Ｂ２，３０Ｂ３，６０は、樹脂基板２０Ｂを形成する樹脂よりもヤング率が大きい。したがって、上述の体積比率の条件で電子部品を配置することによって、モールド樹脂５０Ｂが樹脂基板２０Ｂを形成する樹脂よりもヤング率が小さくても、ヤング率の差によるモールド樹脂５０Ｂと樹脂基板２０Ｂとの界面に生じる応力を抑制することができる。これにより、この界面における破断を抑制でき、さらに信頼性の高い部品実装基板１０Ｂを実現することができる。
【００５４】
また、本実施形態の構成を用いることによって、導体の配線パターンを引き回す領域を樹脂基板２０Ｂ内に広く設けることができる。これにより、電子部品３０Ｂ１，３０Ｂ２，３０Ｂ３に対する配線用の導体パターンを容易に引き回しでき、導体パターン同士の結合等を抑制できる。これにより、より電気特性に優れる部品実装基板１０Ｂを実現することができる。
【００５５】
また、本実施形態の構成を用いることによって、電子部品（内蔵部品）６０の起因した樹脂基板２０Ｂの内部応力を小さくできる。一方、電子部品（表面実装部品）３０Ｂ１，３０Ｂ２，３０Ｂ３は、モールド樹脂５０Ｂ内で内部応力が発生しても、ヤング率の小さい材料からなるモールド樹脂５０Ｂは相対的に変形しやすいため、クラック等が起こりにくくなる。したがって、部品を樹脂基板に実装および内蔵した場合でもクラック等の不具合を抑制できる部品実装基板１０Ｂを得ることができる。
【００５６】
なお、上述の各実施形態では、樹脂基板に実装される部品として、電子部品を例としているが、電子部品に限るものではなく、実装用端子を備え、樹脂基板に実装されるものであればよい。
【符号の説明】
【００５７】
１０，１０Ａ，１０Ｂ：部品実装基板
２０，２０Ｂ：樹脂基板
２１，２１Ｂ：本体樹脂部
２２：表面樹脂層
２３：回路導体
２４：層間接続導体
２５：外部接続用端子導体
３０，３０Ａ，３０Ｂ１，３０Ｂ２，３０Ｂ３，６０：電子部品
３１，３１Ａ：本体
３２，３２Ａ：実装用端子
４０：接合材
５０，５０Ｂ：モールド樹脂
６１：本体
６２：実装用端子
２１１，２１２，２１３，２１４，２１５：樹脂層
２２０：貫通孔
２３０：ランド導体
２４０：層間接続導体
【図１】
2017077837.tif 000003
【図２】
2017077837.tif 000004
【図３】
2017077837.tif 000005
【図４】
2017077837.tif 000006
【図５】
2017077837.tif 000007
【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
部品実装用のランド導体を含む導体パターンが形成された樹脂基板と、
前記樹脂基板の表面に実装され、実装用端子が前記ランド導体に接合される第１の部品と、
前記樹脂基板の表面と前記第１の部品を覆うように形成され、前記樹脂基板とは異なる材質からなるモールド樹脂と、
を備え、
前記樹脂基板は、表面に前記ランド導体が形成された本体樹脂部と、前記本体樹脂部の表面に配置された前記本体樹脂部と同種の材質からなる表面樹脂層とを備え、
前記表面樹脂層の表面には導体が形成されておらず、前記表面樹脂層は、前記ランド導体を前記樹脂基板の表面側に露出させる貫通孔を備え、
前記実装用端子は、前記貫通孔に充填された接合材によって、前記ランド導体に接合されていて、
前記表面樹脂層および前記本体樹脂部は、液晶ポリマを含み、
前記モールド樹脂は、シリコーン樹脂を含む、
部品実装基板。
【請求項２】
部品実装用のランド導体を含む導体パターンが形成された樹脂基板と、
前記樹脂基板の表面に実装され、実装用端子が前記ランド導体に接合される第１の部品と、
前記樹脂基板の表面と前記第１の部品を覆うように形成され、前記樹脂基板とは異なる材質からなるモールド樹脂と、
を備え、
前記樹脂基板は、表面に前記ランド導体が形成された本体樹脂部と、前記本体樹脂部の表面に配置された前記本体樹脂部と同種の材質からなる表面樹脂層とを備え、
前記表面樹脂層の表面には導体が形成されておらず、前記表面樹脂層は、前記ランド導体を前記樹脂基板の表面側に露出させる貫通孔を備え、
前記実装用端子は、前記貫通孔に充填された接合材によって、前記ランド導体に接合されていて、
前記樹脂基板のヤング率は、前記モールド樹脂のヤング率よりも高い、
部品実装基板。
【請求項３】
部品実装用のランド導体を含む導体パターンが形成された樹脂基板と、
前記樹脂基板の表面に実装され、実装用端子が前記ランド導体に接合される第１の部品と、
前記樹脂基板の表面と前記第１の部品を覆うように形成され、前記樹脂基板とは異なる材質からなるモールド樹脂と、
を備え、
前記樹脂基板は、表面に前記ランド導体が形成された本体樹脂部と、前記本体樹脂部の表面に配置された前記本体樹脂部と同種の材質からなる表面樹脂層とを備え、
前記表面樹脂層の表面には導体が形成されておらず、前記表面樹脂層は、前記ランド導体を前記樹脂基板の表面側に露出させる貫通孔を備え、
前記実装用端子は、前記貫通孔に充填された接合材によって、前記ランド導体に接合されていて、
前記本体樹脂部に内蔵された第２の部品を備え、
前記モールド樹脂は、前記表面樹脂層および前記本体樹脂部よりもヤング率の小さい材料からなり、
前記第２の部品を含む前記樹脂基板の体積に対する前記第２の部品の体積の比率は、前記モールド樹脂と前記第１の部品とからなる体積に対する前記第１の部品の体積の比率よりも小さい、
部品実装基板。
【国際調査報告】
2017077837.tif 000008
2017077837.tif 000009
2017077837.tif 000010
2017077837.tif 000011